(57)【特許請求の範囲】
【請求項１】
内容物を収納する有底筒形状の容器本体（１）と、該容器本体（１）の口部に組付け部材（４）によって組付けられ、ノズルヘッド（６）にガイド筒（７）を有し、該ノズルヘッド（６）の上下動で前記容器本体（１）の内容物を注出するポンプ機構（２）と、前記組付け部材（４）の下部筒（９）に、下端縁を前記容器本体（１）に当接させて組付けられ、該組付け部材（４）の上部筒（８）との間で、前記ガイド筒（７）が案内されて侵入するガイド空隙（１０）を形成する案内壁（１１）を有するガイドカバー（３）と、から成り、前記組付け部材（４）と前記ガイドカバー（３）との間に形成される空間部分（１２）に、前記下部筒（９）の外周側部分に全周に亘って多数設けられた縦通路状部分と、前記容器本体（１）とガイドカバー（３）の下端縁との間の複数箇所に設けられた凹み部状の隙間部分とから成る排出路（５）を、連通して成るポンプ容器。
【請求項２】
排出路（５）を、組付け部材（４）の下部筒（９）に穿設した多数の縦通路状部分である縦通路（１３）と、ガイドカバー（３）の下端縁が当接する容器本体（１）部分に、段部状の凹み部として形成した、前記縦通路（１３）の下端部が連通する隙間部分である複数の開放段部（１４）と、で形成して成る請求項１記載のポンプ容器。
【請求項３】
排出路（５）を、組付け部材（４）の下部筒（９）の外周面に形成した多数の縦通路状部分であるの縦溝（１５）と、ガイドカバー（３）下部の内周面と、前記ガイドカバー（３）の下端縁が当接する容器本体（１）部分に、段部状の凹み部として形成した、前記縦溝（１５）の下端部が連通する隙間部分である複数の開放段部（１４）と、で形成して成る請求項１記載のポンプ容器。
【発明の詳細な説明】
【０００１】
【産業上の利用分野】
本発明は、手動式のポンプ機構を内蔵したポンプ容器に関するものである。
【０００２】
【従来に技術】
従来、液状石鹸やシャンプー等の内容物を収納した容器本体に、ノズルヘッドを手動で上下動させることによって内容物を注出するポンプ機構を内蔵したポンプ容器が広く使用されている。
【０００３】
このポンプ容器のうち、ノズルヘッドの上下動を安定かつ円滑に達成させるべく、当該ノズルヘッドにガイド筒を設けると共に、ポンプ機構を容器本体に組付ける組付け部材に案内壁を有するガイドカバーを組付け、ノズルヘッドのガイド筒を組付け部材の上部筒とガイドカバーの案内壁との間に形成される空隙（ガイド空隙）に上下動自在に挿通させるものがある。
【０００４】
【発明が解決しようとする課題】
しかし、この従来のポンプ容器においては、ノズルヘッドの上下動を安定かつ円滑に達成すべく設けたガイドカバーと、そのガイドカバーが組付く組付け部材とで形成される空間部分内に、ガイド空隙から侵入した湯水や埃等が溜まり、不潔になり易いという問題がある。
【０００５】
液状石鹸やシャンプー等を主として収納するこの種のポンプ容器は、湯水を多量に使用する風呂場や洗面所で用いる場合が多く、よってこれら湯水が埃や塵等と共にガイド空隙から侵入して空間部分に蓄積されることになる。
【０００６】
この空間部分に蓄積された湯水や埃等は、時間の経過と共に汚濁して時には異臭を発したり、又、ガイドカバーと組付け部材との組付き部分から漏出したり、あるいは内容物注出時にガイド筒がガイド空隙に侵入した際に、そのガイド筒によってガイド空隙上端から押し出されることもあり、使用者に強い不快感を与えることになりかねない。
【０００７】
本発明はこうした問題に鑑み創案されたもので、ガイド筒およびガイドカバーを有するポンプ容器において、組付け部材とガイドカバーとの間に形成される空間部分に、ガイド空隙から侵入した湯水や埃等を蓄積させないことを技術的課題とし、長期にわたって清潔で使用感に優れたポンプ容器を提供することを目的とする。
【０００８】
【課題を解決するための手段】
そのための手段として、容器本体、ポンプ機構、およびガイドカバーで構成した。容器本体は、液状石鹸等を収納する有底筒形状である。ポンプ機構は、容器本体の口部に、組付け部材によって組付けられ、そのノズルヘッドにガイド筒を有し、当該ノズルヘッドの上下動で容器本体の内容物を注出するものである。また、ガイドカバーは、組付け部材の下部筒に、下端縁を容器本体に当接させて組付けられ、当該組付け部材の上部筒との間で、ガイド筒が案内されて侵入するガイド空隙を形成する案内壁を有している。そして、組付け部材とガイドカバーとの間に形成される空間部分に、組付け部材の下部筒の外周側部分に全周に亘って多数設けられた縦通路状部分と、容器本体とガイドカバーの下端縁との間の複数箇所に設けられた凹み部状の隙間部分とから成る排出路を、連通した。
【０００９】
なお、排出路を、組付け部材の下部筒に穿設した多数の縦通路状部分である縦通路と、ガイドカバーの下端縁が当接する容器本体部分に、段部状の凹み部として形成した、縦通路の下端部が連通する隙間部分である複数の開放段部と、で形成すると良い。
【００１０】
また、この排出路を、組付け部材の下部筒の外周面に形成した多数の縦通路状部分である縦溝と、ガイドカバー下部の内周面と、ガイドカバーの下端縁が当接する容器本体部分に、段部状に凹み部として形成した、縦溝の下端部が連通する隙間部分である複数の開放段部と、で形成することもできる。
【００１１】
【作用】
本発明に係るポンプ容器を浴槽等で使用中に、湯水がガイド空隙から侵入すると、その湯水は、即座に、空間部分の下端部に連通する排出路を通過して外部に排出される。
【００１２】
従って、侵入した湯水は空間部分に埃や塵等と共に蓄積されて時として異臭を放ったり、ガイドカバーと組付け部材との組付き部分から漏出したり、あるいは内容物使用に際し、ガイド空隙に侵入したガイド筒によってそのガイド空隙の上端部から押し出され、容器の外周面に付着して容器を不潔にしてしまうといったことがない。
【００１３】
この本発明に係るポンプ容器において、排出される湯水は、空間部分に長時間蓄積されたものでなく、侵入直後のものであるため、排出後、容器の外周面に付着しても、その容器が不潔となるものではない。
【００１４】
なお、排出路を、組付け部材の下部筒に穿設した複数の縦通路と、容器本体に形成した、縦通路の下端部が連通する開放段部とで形成した場合、ガイド空隙から空間部分に侵入した湯水等は、縦通路および開放段部を通過して、即座に、外部に排出される。
【００１５】
同様に、排出路を、組付け部材の下部筒の外周面に形成した複数の縦溝と、容器本体に形成した、縦溝の下端部が連通する開放段部とで形成した場合も、空間部分に侵入した湯水等は、縦溝および開放段部を通過して、即座に、外部に排出されることになる。
【００１６】
【実施例】
本発明の一実施例を、図１および図２を参照しながら説明する。
容器本体１は、合成樹脂製で、内容物として液状石鹸、シャンプー、リンス等の浴場や洗面所で頻繁に使用するものを収納している。又、容器本体１のほぼ中間部分（ガイドカバー３下端縁が当接する部分）には、複数の段部状の凹み部を形成し、それを湯水等を排出する排出路５の一部となる隙間部分である開放段部１４としている。
【００１７】
ポンプ機構２は、通常の手動式で、ポンプ機構２本体の上端部に合成樹脂製のノズルヘッド６を組付けたものである。このノズルヘッド６には、内容物注出通路の外周に、それより短い円筒状のガイド筒７を設けている。
【００１８】
組付け部材４は合成樹脂製で、その上部筒８の内周面でノズルヘッド６の注出筒１６を保持し、その下部筒９を容器本体１の口部に螺合組付けすることによって、ポンプ機構２を容器本体１に組付けている。下部筒９には、等間隔に多数の縦通路１３を穿設して、排出路５の主要部分としている。
【００１９】
ガイドカバー３は合成樹脂製とし、その上部には案内壁１１を垂下設し、この案内壁１１と組付け部材４の上部筒８とでガイド空隙１０を形成している。このガイド空隙１０には、ノズルヘッド６のガイド筒７が侵入するもので、この侵入によってノズルヘッド６の昇降動を安定かつ円滑に達成させ、内容物の円滑な注出を図ろうとするものである。
【００２０】
このガイドカバー３は、その下部を組付け部材４の下部筒９に嵌合組付けすると共に、その下端を容器本体１に形成した段部状の開放段部１４の直上に位置させることによって、縦通路１３と開放段部１４とから成る排出路５を形成している。
【００２１】
本実施例のポンプ容器にあっては、ガイド空隙１０から侵入した湯水等は、空間部分１２に溜まることなく、即座に、縦通路１３および開放段部１４を通過して外部に排出されるので、湯水や埃等が空間部に蓄積して汚泥化し、容器を不潔にしたり、使用者に不快感を与えることがない。
【００２２】
本発明の他の実施例を、図３および図４に示す。
本実施例においては、排出路５を、組付け部材４の外周面に多数連続的に縦状に形成した縦溝１５と、ガイドカバー３下部の内周面と、容器本体１に形成した段部状の開放段部１４とで構成している。すなわち、ガイドカバー３の下部は、組付け部材４の下部筒９に部分的に組付くと共に部分的に排出路５構成用件の一つとなっている。
成できるようにしている。
【００２３】
本実施例においても、空間部分１２に侵入した湯水等は縦溝１５および開放段部１４を通って即座に外部に排出されるので、使用感に優れたものとなる。
【００２４】
【発明の効果】
本発明は、空間部分の下端部に、外部に通じる排出路を連通したので、ガイド空隙を経て空間部分に侵入した湯水や埃等は、その空間部分に蓄積されることなく即座に外部に排出される。よって、従来容器のように，空間部分に湯水や埃が長期間蓄積されることによって汚泥し、異臭を放ったり、容器を不潔にするといった問題を未然を解決することができる。
【図面の簡単な説明】
【図１】本発明の一実施例を示す正面縦部分断面図。
【図２】図１に示す実施例の組付け部材の一部を示す部分斜視図。
【図３】本発明の他の実施例を示す正面縦部分断面図。
【図４】図２に示す実施例の組付け部材の一部を示す部分斜視図。
【符号の説明】
１  ；  容器本体
２  ；  ポンプ機構
３  ；  ガイドカバー
４  ；  組付け部材
５  ；  排出路
６  ；  ノズルヘッド
７  ；  ガイド筒
８  ；  上部筒
９  ；  下部筒
１０；  ガイド空隙
１１；  案内壁
１２；  空間部分
１３；  縦通路
１４；  開放段部
１５；  縦溝
１６；  注出筒
【図２】
0003593576.tif 000002
【図３】
0003593576.tif 000003
【図４】
0003593576.tif 000004
【図１】
0003593576.tif 000005